(57)【要約】【課題】本発明は、防振ゴムの上部と下部の接着剤等の防振ゴム側面への付着によるばね定数の増大という課題に対し、新たな提案を加え防振ゴムの自由表面積を阻害することがなくなった二重床支持用防振ゴム構造を提供する。【解決手段】二重床構造において、上部の床３から設置対象の床版６に対して、高さ調整可能な床支持ボルト２と防振ゴム１０を直列に配して床衝撃振動を絶縁する床支持用防振ゴム構造であって、前記ボルト２の頭部２ａが載置される防振ゴム１０の上面１０ａの周囲に上方に向かって伸びる筒状ゴム体１２が形成されたことを特徴とする床支持用防振ゴム構造。【選択図】図３
2008174955.tif 000002
【特許請求の範囲】
【請求項１】
二重床構造において、上部の床から設置対象の床版に対して、高さ調整可能な床支持ボルトと防振ゴムを直列に配して床衝撃振動を絶縁する床支持用防振ゴム構造であって、前記ボルトの頭部が載置される防振ゴム上面の周囲に上方に向かって伸びる筒状ゴム体が形成されたことを特徴とする床支持用防振ゴム構造。
【請求項２】
防振ゴムの下面に床版に対向して底部金具が接着された請求項１記載の床支持用防振ゴム構造。
【請求項３】
筒状ゴム体内に前記ボルトの頭部が納まる構造とした請求項１又は２記載の床支持用防振ゴム構造。
【請求項４】
筒状ゴム体を折り曲げた際、防振ゴムの側面が覆われる構造とした請求項１乃至３いずれか１記載の床支持用防振ゴム構造。
【請求項５】
筒状ゴム体を折り曲げた際、底部金具に達する構造とした請求項１乃至４いずれか１記載の床支持用防振ゴム構造。
【請求項６】
防振ゴムの側面に周溝或いは窪みを設けた構造とした請求項１乃至５いずれか１記載の床支持用防振ゴム構造。
【発明の詳細な説明】
【技術分野】
【０００１】
本発明は、振動に起因する騒音（固体伝搬音）低減の発明であり、特に言えば、二重床構造における振動絶縁技術を構成する床支持用防振ゴム構造に関する。
【背景技術】
【０００２】
最近、特に集合住宅において、上階において発生する振動や衝撃が下階に伝搬し、固体伝搬音を発生して問題になることが多く、リビングの床やバスルームの床を防振支持することが広く行われている。
【０００３】
そして、床版の不陸を吸収するために、高さ調整機能付き支持脚に防振ゴムが組み合わされて床の水平度を調整し、且つ、床から床版への振動を絶縁することで床版の振動を低減し、階下への床版からの固体伝搬音の低減を図ろうとする構造となっている。その場合、実用面では床版上に防振ゴムを固定することが重要であり、又、防振ゴムの上に高さ調整機能付き支持脚であるボルトが配置される構造とするのが一般的であるが、その高さ調整機能を発揮するためには、高さ調整後はボルトの頭部が回らないような構造にし、同時に調整後に接着剤等で固定することが必要になる。
【０００４】
従来の防振ゴムの形状では、第１に床版にモルタルや接着剤で固定する際に、その一部が防振ゴム側面に盛り上がったり、第２に防振ゴム上にボルトの頭部を固定する接着剤が防振ゴム側面に垂れることがあり、いずれも、防振ゴムの自由変形ができる表面積（自由表面積）を減少し、防振ゴムの所期のばね定数が大きく変わってしまい、その結果、振動絶縁効果が減ずるという問題を引き起こす。
【発明の開示】
【発明が解決しようとする課題】
【０００５】
本発明は、上述の課題、即ち、防振ゴムの上部と下部の接着剤等の防振ゴム側面への付着によるばね定数の増大という課題に対し、新たな提案を加えた床支持用防振ゴム構造を提供するものである。
【課題を解決するための手段】
【０００６】
本発明の要旨は、二重床構造において、上部の床から設置対象の床版に対して、高さ調整可能な床支持ボルトと防振ゴムを直列に配して床衝撃振動を絶縁する床支持用防振ゴム構造であって、前記ボルトの頭部が載置される防振ゴム上面の周囲に上方に向かって伸びる筒状ゴム体が形成されたことを特徴とする床支持用防振ゴム構造に係るものである。
【０００７】
そして、防振ゴムの下面に床版に対向して底部金具が接着された（請求項２）ものがよく、筒状ゴム体について言えば、筒状ゴム体内に前記ボルトの頭部が納まる構造（請求項３）とし、これを外側に折り曲げた際、防振ゴムの側面が覆われる構造（請求項４）としたもので、好ましくは、折り曲げられた筒状ゴム体の先端が底部金具に達する構造（請求項５）とするものである。
【０００８】
尚、更に言えば、防振ゴムの変形の自由表面積を確保するために、防振ゴムの側面に周溝或いは窪みを設けた構造（請求項６）するのがよい。
【発明の効果】
【０００９】
本発明は上記のような構成としたことにより、防振ゴムの上面及び下面より接着剤が防振ゴムの自由表面積を阻害することがなくなったものであり、所期の目的を達成する防振ゴムが提供できたものである。
【発明を実施するための最良の形態】
【００１０】
上記したように、従来の防振ゴムの構造にあっては、支持脚であるボルトの頭部を固定するための接着剤が防振ゴムの上部よりその側面部に垂れてしまったり、一方、床版に設置される下部の固定用の接着剤（下部はモルタルの場合もある）が防振ゴムの側面に盛り上がってしまったりするという現象は避けられず、これによって、防振ゴムの変形のための自由表面積を減少させ、所期のばね定数に大きな変化をもたらしてしまい、振動絶縁機能を阻害するという課題があった。
【００１１】
このため、本発明の防振ゴムにあっては、防振ゴムの上部周囲を円筒状に立ち上げ、それを外側に折り曲げることで、上部に固定用の接着剤が下方に流れないように土手を形成すると同時に、円筒状に下方に折り曲げられた当該ゴムの筒体で、床版に固定するための接着剤やモルタルが防振ゴムの外側に固着しないように保護ゴム壁を形成することで解決を図ったものである。特に防振ゴムの自由表面積の保持の確実性を挙げるためには、防振ゴムの形状を円筒型にし、更に、側面に周溝或いは窪みを設けることがよい。
【００１２】
尚、本発明の防振ゴムは通常は側面視で台形状をなし、平面視では方形又は円形をなしている。そして、防振ゴムの下面に床版に対向して底部金具が接着されている構造のものがく、筒状ゴム体内に前記ボルトの頭部が納まる構造とするものである。筒状ゴム体を折り曲げて構成される保護ゴム膜によって防振ゴムの側面が覆われる構造とするもので、更には、底部金具に達する構造とするのがよい。
【実施例】
【００１３】
以下、図面をもって更に説明する。図１は従来の防振ゴムを示す側面図である。１は防振ゴム、２は高さ調整可能なボルトであり、２ａは六角状のボルト頭部である。３は二重床、４はナット、５は底部金具、６は床版である。そして、床版６と所定の間隔を隔てて二重床を設置した例であり、床版６上に防振ゴム１を載置し、ボルトを回動調整して所定の高さとするものである。尚、この防振ゴム１は側面視で台形状をなし、平面視では円形をなしている。
【００１４】
しかるに、ボルト頭２ａと防振ゴム１との関係は、二重床３を所定の高さに調整した後にボルト頭２ａを防振ゴム１の上面１ａに接着するか、予め両者を接着した後に二重床の高さ調整に供するかのいずれかである。この際、両者間を接着剤Ａをもって接着するが、接着剤Ａが防振ゴム１の側面１ｂに垂れることは避けられず、結果として防振ゴム１のばね定数が初期の数値よりも高くなってしまうことは避けられない。即ち、接着剤Ａが垂れてしまった分だけ防振ゴム１の変形をもたらす自由表面積が少なくなるからである。
【００１５】
一方、床版６と防振ゴム１の底面１ｃに接着された底部金具５は、通常はモルタル（接着剤Ｂ）にて接着するが、このモルタルＢは防振ゴム１の側面１ｂにまで盛り上がり、防振ゴム１のばね定数を増大させてしまう結果となる。これも又、防振ゴム１の変形をもたらす自由表面積が少なくなるからである。
【００１６】
さて、図２は本発明の防振ゴム１０を示す一部側断面図である。防振ゴム１０の全体構造は図１の場合とほぼ同じであるが、防振ゴム１０の上面１０ａ、即ち、高さ調整可能な支持脚であるボルト２の頭部２ａが配置される部位を囲んで上方に向かって伸びる筒状ゴム体１２を形成したものである。尚、防振ゴム１０の上面１０ａはボルト頭部２ａと接触するが、頭部２ａの回転を阻止するために何らかの突起等（図示せず）を備えることも可能である。
【００１７】
そして、この筒状ゴム体１２は外側に折り曲げた際には、図３に示すように防振ゴム１０の側面１０ｂを覆うだけの寸法を備えたものである。尚、この例ではかかる筒状ゴム体１２の内側或いは外側にリング状の周溝１２ａを形成しておき、この部位をもって折り曲げるようにしておくのが好ましい。こうすることによって防振ゴム１０の側面１０ｂを確実に覆うことができるものである。
【００１８】
この防振ゴム１０と二重床３及び床版６との関係はボルト２の高さを調整することで必要な間隔が得られると共に、前記筒状ゴム体１２にて囲まれた防振ゴム１０の上面１０ａにボルト頭部２ａを嵌め込んで接着剤Ａにて接着し、一方、防振ゴム１０の底面１０ｃに接着された底部金具５と床版６とをモルタル等の接着剤Ｂにて接着することとなる。
【００１９】
この際、ボルト頭部２ａを接着するための接着剤Ａは折り曲げられた筒状ゴム体１２が土手となり、防振ゴム１０の上面１０ａより防振ゴム１０の側面１０ｂに垂れ流し状態となることはない。一方、床版６と底部金具５は接着剤Ｂにて接着することとなるが、防振ゴム１０の周囲に盛り上がってくる。しかしながら、筒状ゴム体１２の折れ曲がり先端１２ｂの存在により、防振ゴム１０の側面１０ｂに接着剤Ｂが接触することがなく固定されることになる。
【００２０】
本発明の防振ゴム１０が二重床３に適用された際には、これを固定する接着剤Ａ、Ｂが防振ゴム１０の側面１０ｂの自由表面積に影響を与えることがなくなったものである。即ち、図１に示す従来の防振ゴム１によれば、防振ゴム１の変形のための自由表面積を減少させてしまい、設計値よりばねが硬くなってしまうのに対し、本発明の防振ゴム１０の場合には設計された初期のばね定数を発揮させることが可能となったものである。
【００２１】
図４は本発明の防振ゴム１０の変形例を示す側断面図であり、その側面の周方向に複数の溝１０ｄや窪み１０ｅを設け、防振ゴム１０の変形のための自由表面積の保持の確実性を向上させた例である。
【００２２】
図５はこの両者の防振ゴム１、１０のばね特性を示す図である。図からも分かる通り、防振ゴム１０は設計の初期の値を発源できたのに対し、接着剤にて自由表面積を狭めた防振ゴム１にあっては、設計値よりばね定数が硬くなっていることが分かる。
【００２３】
更に、両防振ゴム１、１０に対して二重床に衝撃が加えられた場合の騒音（固体伝搬音）の低減効果を測定した。加振源にはタッピングマシンを用いた。その結果を図６に示すが、支持脚のボルト頭部を床版に直接設置した場合に対して、本発明の構造の防振ゴム１０の場合には十分な減音効果が得られているが、従来の構造の防振ゴム１では、系の一次の固有振動数が上がっていることから減音効果も減じている。このことは本発明の構造の有効性を証明するものである。尚、測定方法はＪＩＳ・Ａ・１４１８−１で示されている建築物の床衝撃音遮断性能の測定法・標準軽量衝撃源による方法に準じている。
【産業上の利用可能性】
【００２４】
以上の通り、本発明のように特殊な構造とした防振ゴムは二重床の付設に極めて効果が発揮できるものであり、その利用範囲は極めて広い。
【図面の簡単な説明】
【００２５】
【図１】図１は従来の防振ゴムを示す側面図である。
【図２】図２は本発明の防振ゴムを示す側断面図である。
【図３】図３は図２の防振ゴムを適用した二重床構造の側断面図である。
【図４】図４は本発明の防振ゴムの変形例を示す側断面図である。
【図５】図５は両者の防振ゴムのばね特性を示す図である。
【図６】図６はタッピングマシンを用いた固体伝搬音の低減効果を示す図である。
【符号の説明】
【００２６】
１、１０‥防振ゴム
１ａ、１０ａ‥防振ゴムの上面
１ｂ、１０ｂ‥防振ゴムの側面
１ｃ、１０ｃ‥防振ゴムの底面
１０ｄ‥防振ゴムの側面に形成した溝
１０ｅ‥防振ゴムの側面に形成した窪み
２‥高さ調整可能なボルト
２ａ‥六角状のボルト頭部
３‥二重床、
４‥ナット、
５‥底部金具、
６‥床版
１２‥筒状ゴム体
１２ａ‥リング状の周溝
１２ｂ‥筒状ゴム体の先端
Ａ、Ｂ‥接着剤
【図１】
2008174955.tif 000003
【図２】
2008174955.tif 000004
【図３】
2008174955.tif 000005
【図４】
2008174955.tif 000006
【図５】
2008174955.tif 000007
【図６】
2008174955.tif 000008